(57)【要約】【課題】  移動に対する自由度を保ったままＴＶ電話機能の使用時の使用時間を長時間とし、多人数におけるＴＶ電話を実現可能な移動通信端末を提供する。【解決手段】  ＴＲＸ部１１は基地局４から送信された画像及び音声データの受信を行う。無線処理ＬＳＩ１２はその画像及び音声データのＡ／Ｄ変換を行い、ＣＰＵ１３は受信した画像及び音声データをＭＰＥＧ等に圧縮した状態から展開して内蔵ＬＣＤ及び内蔵スピーカ１４に出力し、操作用キー１７の操作によってデータ出力先がＢｌｕｅｔｏｏｔｈ制御ＬＳＩ１５に切り替えらると、内蔵ＬＣＤ及び内蔵スピーカ１４をＯＦＦとする。Ｂｌｕｅｔｏｏｔｈ（Ｒ）制御ＬＳＩ１５は圧縮されたままのデータを、Ｂｌｕｅｔｏｏｔｈ（Ｒ）  ＴＲＸ部１６を使用してＢｌｕｅｔｏｏｔｈ（Ｒ）受信機２を通して外部ディスプレイ及びスピーカ３に送信する。【選択図】      図２                                                  
2005252511.tif 000002
【特許請求の範囲】
【請求項１】
テレビ電話機能と、前記テレビ電話機能による画像及び音声データを出力する内部出力手段とを持つ移動通信端末を含むＴＶ電話画像及び音声転送システムであって、前記テレビ電話機能による画像及び音声データを近距離無線通信にて外部出力装置へ転送する転送手段を前記移動通信端末に有することを特徴とするＴＶ電話画像及び音声転送システム。
【請求項２】
前記転送手段による前記画像及び音声データの前記外部出力装置への転送時に前記内部出力手段への電源を断とする手段を前記移動通信端末に含むことを特徴とする請求項１記載のＴＶ電話画像及び音声転送システム。
【請求項３】
映像を撮像する撮像素子及び音を入力する入力素子を前記移動通信端末に含み、
前記移動通信端末は、前記転送手段による前記画像及び音声データの前記外部出力装置への転送時に前記撮像素子及び入力素子への電源を断とすることを特徴とする請求項２記載のＴＶ電話画像及び音声転送システム。
【請求項４】
前記内部出力手段及び前記外部出力装置は、前記画像を表示するディスプレイと、前記音声を出力するスピーカとを含むことを特徴とする請求項１から請求項３のいずれか記載のＴＶ電話画像及び音声転送システム。
【請求項５】
前記近距離無線通信は、Ｂｌｕｅｔｏｏｔｈ（Ｒ）であることを特徴とする請求項１から請求項４のいずれか記載のＴＶ電話画像及び音声転送システム。
【請求項６】
テレビ電話機能と、前記テレビ電話機能による画像及び音声データを出力する内部出力手段とを含む移動通信端末であって、前記テレビ電話機能による画像及び音声データを近距離無線通信にて外部出力装置へ転送する転送手段を有することを特徴とする移動通信端末。
【請求項７】
前記転送手段による前記画像及び音声データの前記外部出力装置への転送時に前記内部出力手段への電源を断とする手段を含むことを特徴とする請求項６記載の移動通信端末。
【請求項８】
映像を撮像する撮像素子及び音を入力する入力素子を含み、前記転送手段による前記画像及び音声データの前記外部出力装置への転送時に前記撮像素子及び入力素子への電源を断とすることを特徴とする請求項７記載の移動通信端末。
【請求項９】
前記内部出力手段及び前記外部出力装置は、前記画像を表示するディスプレイと、前記音声を出力するスピーカとを含むことを特徴とする請求項６から請求項８のいずれか記載の移動通信端末。
【請求項１０】
前記近距離無線通信は、Ｂｌｕｅｔｏｏｔｈ（Ｒ）であることを特徴とする請求項６から請求項９のいずれか記載の移動通信端末。
【請求項１１】
テレビ電話機能と、前記テレビ電話機能による画像及び音声データを出力する内部出力手段とを持つ移動通信端末を含むＴＶ電話画像及び音声転送システムにおいて前記テレビ電話機能による画像及び音声データを転送するためのＴＶ電話画像及び音声転送方法であって、前記移動通信端末側に、前記テレビ電話機能による画像及び音声データを近距離無線通信にて外部出力装置へ転送するステップを有することを特徴とするＴＶ電話画像及び音声転送方法。
【請求項１２】
前記移動通信端末が、前記画像及び音声データの前記外部出力装置への転送時に前記内部出力手段への電源を断とすることを特徴とする請求項１１記載のＴＶ電話画像及び音声転送方法。
【請求項１３】
映像を撮像する撮像素子及び音を入力する入力素子を前記移動通信端末に含み、前記移動通信端末が、前記画像及び音声データの前記外部出力装置への転送時に前記撮像素子及び入力素子への電源を断とすることを特徴とする請求項１２記載のＴＶ電話画像及び音声転送方法。
【請求項１４】
前記内部出力手段及び前記外部出力装置は、前記画像を表示するディスプレイと、前記音声を出力するスピーカとを含むことを特徴とする請求項１１から請求項１３のいずれか記載のＴＶ電話画像及び音声転送方法。
【請求項１５】
前記近距離無線通信は、Ｂｌｕｅｔｏｏｔｈ（Ｒ）であることを特徴とする請求項１１から請求項１４のいずれか記載のＴＶ電話画像及び音声転送方法。
【発明の詳細な説明】
【技術分野】
【０００１】
本発明はＴＶ電話画像及び音声転送システム、移動通信端末及びそれらに用いるＴＶ電話画像及び音声転送方法に関し、特に移動通信端末におけるＴＶ（テレビ）電話の画像及び音声の転送方法に関する。
【背景技術】
【０００２】
近年、移動通信端末においては、ＣＣＤ（Ｃｈａｒｇｅ  Ｃｏｕｐｌｅｄ  Ｄｅｖｉｃｅ）素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）素子等の撮像素子を搭載し、静止画や動画の撮影、ＴＶ（テレビ）電話が可能となってきている（例えば、特許文献１参照）。
【０００３】
従来、移動通信端末においては、上記の撮像素子にて撮影した画像とマイクから入力した音声とをＴＶ電話の画像及び音声として通話先へ送信するとともに、受信した通話先からのＴＶ電話の画像及び音声を内蔵ＬＣＤ（Ｌｉｑｕｉｄ  Ｃｒｙｓｔａｌ  Ｄｉｓｐｌａｙ）及び内蔵スピーカのみに表示可能となっている。
【０００４】
【特許文献１】特開２０００−０３２４２１号公報
【発明の開示】
【発明が解決しようとする課題】
【０００５】
しかしながら、上述した従来の移動通信端末では、内蔵ＬＣＤに画像を表示する際の消費電力が大きいため、通話状態を長時間維持することができないという問題がある。
【０００６】
また、従来の移動通信端末では、内蔵ＬＣＤが小型であるため、多人数でのＴＶ電話の画像閲覧を行うことができないという問題がある。
【０００７】
従来の移動通信端末においては、ＴＶ電話機能の使用時と音声のみの使用時とを比較した場合、ＴＶ画像表示部の使用による消費電流が増加するため、ＴＶ電話機能の使用時では通信可能時間が大幅に減少することが問題となる。
【０００８】
また、従来の移動通信端末においては、ＴＶ電話の用途としてＴＶ会議等が考えられるが、現状の移動通信端末に搭載されている画像表示部のサイズでは人物像等が小さくなりすぎるため、多人数で開催されている会議時等の広範囲を映し出さなければならない映像の表示には適しておらず、用途が限定されている。
【０００９】
その際の解決方法としては、有線による電力供給、画像及び音声の転送があるが、それでは移動通信端末の特徴である移動に対する自由度が損なわれてしまう。
【００１０】
そこで、本発明の目的は上記の問題点を解消し、移動に対する自由度を保ったままＴＶ電話機能の使用時の使用時間を長時間とすることができ、多人数におけるＴＶ電話を実現することができるＴＶ電話画像及び音声転送システム、移動通信端末及びそれらに用いるＴＶ電話画像及び音声転送方法を提供することにある。
【課題を解決するための手段】
【００１１】
本発明によるＴＶ電話画像及び音声転送システムは、テレビ電話機能と、前記テレビ電話機能による画像及び音声データを出力する内部出力手段とを持つ移動通信端末を含むＴＶ電話画像及び音声転送システムであって、前記テレビ電話機能による画像及び音声データを近距離無線通信にて外部出力装置へ転送する転送手段を前記移動通信端末に備えている。
【００１２】
本発明による移動通信端末は、テレビ電話機能と、前記テレビ電話機能による画像及び音声データを出力する内部出力手段とを含む移動通信端末であって、前記テレビ電話機能による画像及び音声データを近距離無線通信にて外部出力装置へ転送する転送手段を備えている。
【００１３】
本発明によるＴＶ電話画像及び音声転送方法は、テレビ電話機能と、前記テレビ電話機能による画像及び音声データを出力する内部出力手段とを持つ移動通信端末を含むＴＶ電話画像及び音声転送システムにおいて前記テレビ電話機能による画像及び音声データを転送するためのＴＶ電話画像及び音声転送方法であって、前記移動通信端末側に、前記テレビ電話機能による画像及び音声データを近距離無線通信にて外部出力装置へ転送するステップを備えている。
【００１４】
すなわち、本発明のＴＶ（テレビ）電話画像及び音声転送システムは、移動通信端末において、ＴＶ電話使用時に外部ディスプレイへワイヤレスで画像及び音声を転送することを特徴としている。
【００１５】
より具体的に説明すると、本発明のＴＶ電話画像及び音声転送システムでは、移動通信端末が他の移動通信端末もしくは固定通信端末との間において、ＴＶ電話の画像及び音声を移動通信端末の基地局と固定通信端末もしくは移動通信端末の基地局とを中継して同時に送受信可能としている。
【００１６】
移動通信端末が受信したＴＶ電話の画像及び音声はＢｌｕｅｔｏｏｔｈ（Ｒ）受信機を中継して外部ディスプレイ及びスピーカに出力される。また、移動通信端末が撮影した画像及び入力した音声データは移動通信端末の基地局に送信され、固定通信端末もしくは移動通信端末の基地局を中継して他の移動通信端末もしくは固定通信端末にて受信される。
【００１７】
上記のように、本発明のＴＶ電話画像及び音声転送システムでは、Ｂｌｕｅｔｏｏｔｈ（Ｒ）を利用して画像及び音声データを転送しているので、外部ディスプレイへの画像及び音声の転送をワイヤレスで行うことが可能となる。
【００１８】
したがって、本発明のＴＶ電話画像及び音声転送システムでは、従来、移動通信端末本体に表示されていた受信画像を外部ディスプレイに表示させることによって、従来、ＴＶ電話画像表示部［ＬＣＤ（Ｌｉｑｕｉｄ  Ｃｒｙｓｔａｌ  Ｄｉｓｐｌａｙ）及びＬＣＤ用バックライト等］にて消費されていた電力を削減し、通信時間を増加させ、また外部ディスプレイを大画面なものにすることで、ＴＶ会議画像等の表示にも使用することが可能となる。
【００１９】
本発明のＴＶ電話画像及び音声転送システムでは、外部ディスプレイへの画像転送手段としてＢｌｕｅｔｏｏｔｈ（Ｒ）による無線転送を使用するが、このＢｌｕｅｔｏｏｔｈ（Ｒ）を使用することによる利点は、ワイヤレスでの接続、低消費電力、暗号化によるセキュリティ等があげられ、本発明の実現に最も適している。また、すでにＢｌｕｅｔｏｏｔｈ（Ｒ）内蔵の移動通信端末も多く発売されており、それらの従来の移動通信端末の機能を使用することによって、移動通信端末側のハードウェア変更を必要としないのも利点の一つにあげられる。
【００２０】
これによって、本発明のＴＶ電話画像及び音声転送システムでは、ＴＶ電話通話中にＬＣＤ及びＬＣＤバックライトの電源をＯＦＦにしているので、ＴＶ電話通話中における通話電流を大幅に削減することが可能となる。
【００２１】
また、本発明のＴＶ電話画像及び音声転送システムでは、外部ディスプレイに画像を表示させているので、多人数が同時にＴＶ電話時の映像を見ることが可能となる。
【００２２】
さらに、本発明のＴＶ電話画像及び音声転送システムでは、外部ディスプレイへデータをワイヤレスで転送しているので、移動通信端末を自由に動かせることが可能であり、被写体を自由な角度、位置から撮影することが可能となる。
【発明の効果】
【００２３】
本発明は、以下に述べるような構成及び動作とすることで、移動に対する自由度を保ったままＴＶ電話機能の使用時の使用時間を長時間とすることができ、多人数におけるＴＶ電話を実現することができるという効果が得られる。
【発明を実施するための最良の形態】
【００２４】
次に、本発明の実施例について図面を参照して説明する。図１は本発明の一実施例によるＴＶ電話画像及び音声転送システムのシステム構成を示すブロック図である。図１において、本発明の一実施例によるＴＶ電話画像及び音声転送システムは移動通信端末１と、Ｂｌｕｅｔｏｏｔｈ（Ｒ）受信機２と、画像表示装置及びスピーカ（以下、外部出力装置とする）３と、移動通信端末の基地局（以下、基地局とする）４と、固定通信端末もしくは移動通信端末の基地局（以下、基地局とする）５と、移動通信端末もしくは固定通信端末（以下、他端末装置とする）６とから構成されている。
【００２５】
移動通信端末１とＢｌｕｅｔｏｏｔｈ（Ｒ）受信機２との間はＢｌｕｅｔｏｏｔｈ（Ｒ）（１）で接続され、Ｂｌｕｅｔｏｏｔｈ（Ｒ）受信機２と外部出力装置３との間は有線（２）で接続されている。
【００２６】
移動通信端末１と基地局４との間は無線（３）にて接続され、基地局４，５間は基地局間ＮＷ（ＮｅｔＷｏｒｋ）（４）で接続され、基地局５と他端末装置６との間は無線または有線（５）で接続されている。
【００２７】
移動通信端末１と他端末装置６との間は、基地局４，５を中継してＴＶ電話の画像及び音声を同時に送受信可能な状態である。移動通信端末１は受信したＴＶ電話の画像及び音声をＢｌｕｅｔｏｏｔｈ（Ｒ）受信機２を中継して外部出力装置３に出力する。また、移動通信端末１が撮影した画像及び入力した音声データは基地局４に送信され、基地局５を中継して他端末装置６にて受信される。
【００２８】
上記のように、本実施例では、Ｂｌｕｅｔｏｏｔｈ（Ｒ）を利用して画像及び音声データを外部出力装置３に転送しているので、外部出力装置３への画像及び音声の転送をワイヤレスで行うことができる。
【００２９】
本実施例では、上述した問題を改善するために、従来、移動通信端末本体に表示されていた受信画像を外部出力装置３に表示させることによって、従来、図示せぬＴＶ電話画像表示部［ＬＣＤ（Ｌｉｑｕｉｄ  Ｃｒｙｓｔａｌ  Ｄｉｓｐｌａｙ）及びＬＣＤ用バックライト等］にて消費されていた電力を削減することができ、通信時間を増加させることができるとともに、外部出力装置３のディスプレイを大画面なものにすることで、ＴＶ会議画像等の表示にも使用することができる。
【００３０】
また、本実施例では、外部出力装置３への画像転送手段としてＢｌｕｅｔｏｏｔｈ（Ｒ）による近距離無線転送［ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１ａ，８０２．１１ｂ，８０２．１１ｇ等による近距離無線転送も可能］を使用しているので、これによる利点は、ワイヤレスでの接続、低消費電力、暗号化によるセキュリティ等があげられ、本実施例の実現に最も適している。
【００３１】
また、すでにＢｌｕｅｔｏｏｔｈ（Ｒ）内蔵の移動通信端末も多く発売されており、それら従来の移動通信端末の機能を使用することによって、移動通信端末側のハードウェア変更を必要としないのも利点の一つにあげられる。
【００３２】
図２は図１の移動通信端末１及びＢｌｕｅｔｏｏｔｈ（Ｒ）受信機２の構成を示すブロック図である。図２において、移動通信端末１はＴＲＸ（送受信）部１１と、無線処理ＬＳＩ（大規模集積回路）１２と、ＣＰＵ（中央処理装置）１３と、内蔵ＬＣＤ及び内蔵スピーカ１４と、Ｂｌｕｅｔｏｏｔｈ（Ｒ）制御ＬＳＩ１５と、Ｂｌｕｅｔｏｏｔｈ（Ｒ）  ＴＲＸ部１６と、操作キー１７と、内蔵カメラ及び内蔵マイク１８とから構成されおり、ＴＲＸ部１１を介して基地局４に無線にて接続されている。
【００３３】
Ｂｌｕｅｔｏｏｔｈ（Ｒ）受信機２はＢｌｕｅｔｏｏｔｈ（Ｒ）  ＴＲＸ部２１と、Ｂｌｕｅｔｏｏｔｈ（Ｒ）制御ＬＳＩ２２と、ＣＰＵ２３と、画像及び音声出力端子２４とから構成されており、外部ディスプレイ及びスピーカ（以下、外部出力装置とする）３に有線にて接続されている。
【００３４】
ＴＲＸ部１１は基地局４から送信された画像及び音声データの受信を行う。ＴＲＸ部１１にて受信されたデータはアナログデータであり、無線処理ＬＳＩ１２はその画像及び音声データのＡ／Ｄ（アナログ／ディジタル）変換を行い、ＣＰＵ１３に画像及び音声のディジタルデータを受け渡す。
【００３５】
通常、ＣＰＵ１３が受信した画像及び音声データはＣＰＵ１３内部でＭＰＥＧ（Ｍｏｖｉｎｇ  Ｐｉｃｔｕｒｅｓ  Ｅｘｐｅｒｔｓ  Ｇｒｏｕｐ）等に圧縮された状態から展開され、内蔵ＬＣＤ及び内蔵スピーカ１４に出力されるが、本実施例ではユーザによる操作用キー１７の操作によって、データ出力先をＢｌｕｅｔｏｏｔｈ制御ＬＳＩ１５に切り替えることが可能であり、その際、内蔵ＬＣＤ及び内蔵スピーカ１４はＯＦＦになる。
【００３６】
Ｂｌｕｅｔｏｏｔｈ（Ｒ）制御ＬＳＩ１５に受け渡される画像及び音声データは、内蔵ＬＣＤ及び内蔵スピーカ１４に送信される場合と異なり、ＭＰＥＧ等で圧縮されたままのデータで送信される。
【００３７】
Ｂｌｕｅｔｏｏｔｈ（Ｒ）制御ＬＳＩ１５は移動通信端末１に内蔵されるＢｌｕｅｔｏｏｔｈ（Ｒ）  ＴＲＸ部１６を使用してデータを送信し、送信されたデータはＢｌｕｅｔｏｏｔｈ（Ｒ）受信機２に内蔵されるＢｌｕｅｔｏｏｔｈ（Ｒ）  ＴＲＸ部２１で受信される。
【００３８】
Ｂｌｕｅｔｏｏｔｈ（Ｒ）  ＴＲＸ部２１で受信されたデータはＢｌｕｅｔｏｏｔｈ（Ｒ）制御ＬＳＩ２２に受け渡された後、Ｂｌｕｅｔｏｏｔｈ（Ｒ）受信機２に内蔵されるＣＰＵ２３に転送される。ＣＰＵ２３は移動通信端末１に内蔵されるＣＰＵ１３と同程度の画像及び音声データ処理機能と外部ディスプレイへの画像及び音声出力機能とを有しており、画像及び音声出力端子２４を通して外部出力装置３に画像及び音声データを出力する。
【００３９】
また、画像の出力先をどちらに選択した場合でも、移動通信端末１は内蔵カメラ及び内蔵マイク１８にて画像及び音声を入力し、ＣＰＵ１３にデータとして受け渡す。ＣＰＵ１３は受け取ったデータをＭＰＥＧ等の形式で圧縮し、無線処理ＬＳＩ１２に受け渡し、Ｄ／Ａ（ディジタル／アナログ）変換処理後に、ＴＲＸ部１１を使用して基地局４に送信される。
【００４０】
図３は図２に示す移動通信端末１の動作を示すフローチャートである。これら図１〜図３を参照して本発明の一実施例による移動通信端末１の動作について説明する。
【００４１】
移動通信端末１は電源ＯＮとなると、発信及び受信の待ち受け状態となる（図３ステップＳ１）。移動通信端末１はこの待ち受け状態において、ユーザのキー操作によってTV電話の開始が指示されると移動通信端末は、ユーザーによる操作用キー１７の操作によって、内蔵ＬＣＤ及び内蔵スピーカ１４を使用したＴＶ電話状態か外部出力装置３を使用したＴＶ電話状態のどちらかの状態に推移する（図３ステップＳ２〜Ｓ４，Ｓ６）。
【００４２】
移動通信端末１では内蔵ＬＣＤ及び内蔵スピーカ１４を使用したＴＶ電話状態か外部出力装置３を使用したＴＶ電話状態のどちらの状態からでもＴＶ電話の通話状態を終了し、発信及び受信の待ち受け状態に戻ることができる。
【００４３】
このように、本実施例では、ＴＶ電話通話中に内蔵ＬＣＤ及び内蔵スピーカ１４のＬＣＤ及びＬＣＤバックライトの電源をＯＦＦにしているので、ＴＶ電話通話中における消費電流を大幅に削減することができる。
【００４４】
また、本実施例では、ＴＶ電話通話中の画像を外部出力装置３に表示させているので、外部出力装置３を通して多人数が同時にＴＶ電話時の映像を見ることができる。
【００４５】
さらに、本実施例では、外部出力装置３のディスプレイに画像データをワイヤレスにて転送しているので、移動通信端末１を自由に動かせることが可能であり、被写体を自由な角度、位置から撮影することができる。
【００４６】
図４は図１の移動通信端末１及びＢｌｕｅｔｏｏｔｈ（Ｒ）受信機２の動作を示すブロック図である。本実施例では、図４に示すように、消費電力をさらに削減することが可能である。
【００４７】
図４において、移動通信端末１は内蔵カメラ及び内蔵マイク１８をＯＦＦの状態としている。これによって、内蔵カメラ及び内蔵マイク１８の消費電力が削減される。
【００４８】
さらに，画像データの転送をＢｌｕｅｔｏｏｔｈ（Ｒ）制御ＬＳＩ１５に設定した場合、ＣＰＵ１３にて必要な動作が画像データの転送と無線ＬＳＩ１２の制御のみになるため、ＣＰＵ１３の動作クロックを低く設定することができ、ＣＰＵ１３自体の消費電力の削減が可能である。
【００４９】
本構成においては、移動通信端末１側からの画像発信を行わないため、基地局４が複数の移動通信端末に対する送信を可能としているならば、受信側の移動通信端末を複数で構成してもよい。
【００５０】
また、本実施例では、近距離無線転送にＢｌｕｅｔｏｏｔｈ（Ｒ）を利用しているが、上述したように、ＩＥＥＥ８０２．１１ａ，８０２．１１ｂ，８０２．１１ｇ等による近距離無線転送を用いることも可能である。
【図面の簡単な説明】
【００５１】
【図１】本発明の一実施例によるＴＶ電話画像及び音声転送システムのシステム構成を示すブロック図である。
【図２】図１の移動通信端末及びＢｌｕｅｔｏｏｔｈ（Ｒ）受信機の構成を示すブロック図である。
【図３】図２に示す移動通信端末の動作を示すフローチャートである。
【図４】図１の移動通信端末及びＢｌｕｅｔｏｏｔｈ（Ｒ）受信機の動作を示すブロック図である。
【符号の説明】
【００５２】
１  移動通信端末１
２  Ｂｌｕｅｔｏｏｔｈ（Ｒ）受信機
３  画像表示装置及びスピーカ
４  移動通信端末の基地局
５  固定通信端末もしくは移動通信端末の基地局
６  移動通信端末もしくは固定通信端末
１１  ＴＲＸ部
１２  無線処理ＬＳＩ
１３，２３  ＣＰＵ
１４  内蔵ＬＣＤ及び内蔵スピーカ
１５，２２  Ｂｌｕｅｔｏｏｔｈ（Ｒ）制御ＬＳＩ
１６，２１  Ｂｌｕｅｔｏｏｔｈ（Ｒ）  ＴＲＸ部
１７  操作キー
１８  内蔵カメラ及び内蔵マイク
２４  画像及び音声出力端子
【図１】
2005252511.tif 000003
【図２】
2005252511.tif 000004
【図３】
2005252511.tif 000005
【図４】
2005252511.tif 000006